(57)【要約】【課題】  リサイクル処理容易の紙材及び粘着材のみより構成可能であり、取付容易の書物表紙等角部の保護及び補強をする補強保護片の提供。【解決手段】  補強保護する角部外側面に貼付する、８０g/m2乃至１００g/m2の紙材よりなる、該角部の形状に応じ概ね三角形とした一の補強保護片基部と、基部の貼付けする角部頂点と対応する基部頂点、及び該基部頂点を挟む二の基部縁辺其々を介し、該基部と連成した二の縁辺折返部が、該基部頂点側で角折返部を介して連成しており、角部外側面に基部を角部頂点と基部頂点及び角部縁辺と基部縁辺とを其々合わせ貼付けし、該基部頂点を介して角折返部を折返し該角部内側面に貼付けし、該基部縁辺を介し縁辺折返部を折返して該角部内側面に貼付し取付する水可溶性、アルカリ可溶性、又は水再分散性のアクリル系粘着剤より成る粘着層を片面に有す構成とした書物表紙等角部の補強保護片とする。【選択図】図１
2005103764.tif 000002
【特許請求の範囲】
【請求項１】
補強保護する角部外側面に貼付する該角部の形状に応じ概ね三角形とした一の補強保護片基部と、該基部の貼付けする角部頂点と対応する基部頂点、及び該基部頂点を挟む二の基部縁辺其々を介し、該基部と連成した二の縁辺折返部とよりなり、粘着層を片面に有すことを特徴とする書物表紙等角部の補強保護片。
【請求項２】
基部の貼付けする角部頂点と対応する基部頂点、及び該基部頂点を挟む二の基部縁辺其々を介し、該基部と連成した二の縁辺折返部が、該基部頂点側で角折返部を介して連成したことを特徴とする請求項１記載の書物表紙等角部の補強保護片。
【請求項３】
二の縁辺折返部の其々が接する基部の辺と直交方向の幅寸法を、一定かつ同じくしたことを特徴とする、請求項１又は請求項２記載の書物表紙等角部の補強保護片。
【請求項４】
基部を基部頂点が直角の二等辺三角形とし、二の縁辺折返部の其々が接する基部の辺と直交方向の幅寸法を、該基部頂点を挟む二の基部縁辺の長さ寸法の半分以下としたことを特徴とする、請求項１乃至請求項３記載の書物表紙等角部の補強保護片。
【請求項５】
二の縁辺折返部の基部頂点側でない端部が、其々の基部縁辺となす角を９０度以下としてあることを特徴とする、請求項１乃至請求項４記載の書物表紙等角部の補強保護片。
【請求項６】
粘着層以外は８０g/m2乃至１００g/m2の紙材よりなることを特徴とする、請求項１乃至請求項５記載の書物表紙等角部の補強保護片。
【請求項７】
片面に水可溶性、アルカリ可溶性、又は水再分散性のアクリル系粘着剤より成る粘着層を有すこと特徴とする、請求項１乃至請求項６記載の書物表紙等角部の補強保護片。
【請求項８】
縁辺折返部または補強保護片基部のうち、少なくとも何れか一方に書込欄を設けてあることを特徴とする、請求項１乃至請求項７記載の書物表紙等角部の補強保護片。
【発明の詳細な説明】
【技術分野】
【０００１】
書物表紙等角部の保護及び補強を目的とする、リサイクル処理に適した補強保護片に関する。
【背景技術】
【０００２】
書物やファイル等の主として厚紙により構成されている表紙は、十分な強度を有していないため使用によって損傷し易く、特に角部については型崩れし該書物等の外観を損ねるのみならず、該書物等内部に綴込みしてある紙葉が該書物等を閉じた状態において露出状となる等し、綴込みした紙葉の保護をするという表紙本来の目的をも十分に果すことが出来なくなる。
【０００３】
そのため、書物表紙等を損傷し難くし綴込みした紙葉の保護機能を十分なものとする為に、該表紙を強質の合成樹脂等板材より構成し、又は該表紙を芯材として強質の合成樹脂等板材を有すものとし、強度を十分に有す強質な書物表紙等としたり、該表紙表面に粘着剤を塗布した合成樹脂等薄膜を該表紙外側から該表紙周縁を介し折曲し該表紙内側にかけ貼付し、又は該表紙角部に少なくとも該角部頂点及び該表紙周縁のうち該角部周辺とを覆う保護金具を取付する（例えば、特許文献１の図１及び図２を参照。）等し、表紙の強度を補う等している。
【特許文献１】実開昭５０−０１９５１４号公報
【発明の開示】
【発明が解決しようとする課題】
【０００４】
しかし、従来より実施されている、綴込みした紙葉保護のため、合成樹脂等板材により強質なものとしたり、合成樹脂等薄板や保護金具により補強した書物表紙等は、リサイクルの重要性に鑑み廃棄する書物等を資源として利用するに際して、リサイクル処理する際に該処理に適しない合成樹脂等又は保護金具を有すため、該書物等の表紙又は保護金具を取外しする作業が必要となる。
【０００５】
このため、リサイクルする書物等は現状として該作業の煩雑性から、リサイクル処理に適しない部材を取外す作業を忘れたり怠ったりすることにより、一部にリサイクル処理に適しない部材が混入したままリサイクル処理工程へと搬送されることとなり、該リサイクル処理に適しない部材の除去等にかかる手間は甚大となる為、リサイクル処理に支障をきたしたり、リサイクルを一部断念し産業廃棄物として廃棄したり、あるいは書物等をリサイクルしないこととし該書物等全体を産業廃棄物として処理している。
【０００６】
そこで、本発明はリサイクルに適した書物等とする為、書物表紙等の厚さや大きさに係わらず困難性を伴わず取付可能の、リサイクル処理容易の材質よりなり該処理の際に取外し不要とした書物表紙等角部補強保護片の提供を課題としている。
【課題を解決するための手段】
【０００７】
第一の発明として、上述した課題を解決するため本発明の書物表紙等角部の補強保護片は、補強保護する角部外側面に貼付する該角部の形状に応じ概ね三角形とした一の補強保護片基部と、該基部の貼付けする角部頂点と対応する基部頂点、及び該基部頂点を挟む二の基部縁辺其々を介し、該基部と連成した二の縁辺折返部とよりなり、角部外側面に基部を角部頂点と基部頂点及び角部縁辺と基部縁辺とを其々合わせ貼付けし、該基部縁辺を介し縁辺折返部を折返して該角部内側面に貼付する粘着層を片面に有す構成としてある。
【０００８】
第二の発明として、上述した課題を解決するため前記本発明の書物表紙等角部の補強保護片は、基部の貼付けする角部頂点と対応する基部頂点、及び該基部頂点を挟む二の基部縁辺其々を介し、該基部と連成した二の縁辺折返部が、該基部頂点側で角折返部を介して連成しており、角部外側面に基部を角部頂点と基部頂点及び角部縁辺と基部縁辺とを其々合わせ貼付けし、該基部頂点を介して角折返部を折返し該角部内側面に貼付けし、該基部縁辺を介し縁辺折返部を折返して該角部内側面に貼付する粘着層を片面に有す構成としてある。
【０００９】
第三の発明として、上述した課題を解決するため前記本発明の書物表紙等角部の補強保護片は、二の縁辺折返部の其々が接する基部の辺と直交方向の幅寸法を、一定かつ同じくした構成としてある。
【００１０】
第四の発明として、上述した課題を解決するため前記本発明の書物表紙等角部の補強保護片は、基部を基部頂点が直角の二等辺三角形とし、二の縁辺折返部の其々が接する基部の辺と直交方向の幅寸法を、該基部頂点を挟む二の基部縁辺の長さ寸法の半分以下とした構成としてある。
【００１１】
第五の発明として、上述した課題を解決するため前記本発明の書物表紙等角部の補強保護片は、二の縁辺折返部の基部頂点側でない端部が、其々の基部縁辺となす角を９０度以下とした構成としてある。
【００１２】
第六の発明として、上述した課題を解決するため前記本発明の書物表紙等角部の補強保護片は、粘着層以外は８０g/m2乃至１００g/m2の紙材よりなる構成としてある。
【００１３】
第七の発明として、上述した課題を解決するため前記本発明の書物表紙等角部の補強保護片は、片面に水可溶性、アルカリ可溶性、又は水再分散性のアクリル系粘着剤より成る粘着層を有す構成としてある。
【００１４】
第八の発明として、上述した課題を解決すると共に前記本発明の書物表紙等角部の補強保護片は、縁辺折返部または補強保護片基部のうち、少なくとも何れか一方に書込欄を設けた構成としてある。
【発明の効果】
【００１５】
本発明による書物表紙等角部の補強保護片は第一の発明により、補強保護する書物表紙等の角部外側面に基部を角部頂点と基部頂点及び角部縁辺と基部縁辺とを合わせ、片側に有する粘着層により、二の縁辺折返部が該角部の外側となるように貼付けし、該二の縁辺折返部を該角部の内側面に縁辺を介して折返し貼付することにより、簡易に書物表紙等角部に取付し補強保護片と一体とでき、該角部の強度が増すこととなり、損傷し難くし、型崩れを防止し、又は、損傷し型崩れした角部を整え強度を与え、外観を損ねずに書物表紙等の内部に綴込みしてある紙葉の保護することができる。
【００１６】
本発明による前記書物表紙等角部の補強保護片は第二の発明により、補強保護する書物表紙等の角部外側面に基部を角部頂点と基部頂点及び角部縁辺と基部縁辺とを合わせ、片側に有する粘着層により、角折返部及び二の縁辺折返部が該角部の外側となるように貼付けし、該角折返部を該角部の内側面に頂点を介して折返し貼付し、該二の縁辺折返部を該角部の内側面に縁辺を介して折返し貼付することにより、簡易に書物表紙等角部に取付できる効果を損ねず前記効果と共に、殊に該角部を補強保護し、外観を損ねずに書物表紙等の内部に綴込みしてある紙葉の保護することができる。
【００１７】
本発明による前記書物表紙等角部の補強保護片は第三及び第四の発明により、簡易に書物表紙等角部に取付できる効果を損ねず前記効果と共に、二の縁辺折返部を角部の内側面に縁辺を介して折返し貼付した際に、角部内側面の二の縁辺折返部が一定かつ同じ幅寸法となり、殊に外観を損ねずに書物表紙等の内部に綴込みしてある紙葉の保護することができる。
【００１８】
本発明による前記書物表紙等角部の補強保護片は第五の発明により、簡易に書物表紙等角部に取付できる効果を損ねず前記効果と共に、該角部に取付した補強保護片の縁辺折返部端部から剥れることを防止し、長期に亘り外観を損ねずに書物表紙等の内部に綴込みしてある紙葉の保護することができる。
【００１９】
本発明による前記書物表紙等角部の補強保護片は第六及び第七の発明により、簡易に書物表紙等角部に取付できる効果を損ねず前記効果と共に、最も強度を得られ該角部の保護に適し、かつリサイクル処理に適した補強保護片とでき、外観を損ねずに書物表紙等の内部に綴込みしてある紙葉の保護することができると共に、補強保護片を取外しせずにリサイクル処理することができる。
【００２０】
本発明による前記書物表紙等角部の補強保護片は第八の発明により、簡易に書物表紙等角部に取付できる効果を損ねず前記効果と共に、補強保護片の取付により、これを取付した書物等の識別記号を記載したり、図案を印刷等したりすることの出来る欄を提供することができる。
【発明を実施するための最良の形態】
【００２１】
本発明を実施するための最良の形態としては、図１乃至図５に示すように、本発明による書物表紙等角部Ｃの補強保護片１０は、補強保護する角部外側面Ｃ１に貼付する該角部Ｃの形状に応じ概ね三角形とした一の補強保護片基部１１と、基部１１の貼付けする角部頂点Ｃ２と対応する基部頂点１２、及び該基部頂点１２を挟む二の基部縁辺１３，１３其々を介し、該基部１１と連成した二の縁辺折返部１４，１４が、該基部頂点１２側で角折返部１５を介して連成しており（図１参照。）、角部外側面Ｃ１に基部１１を角部頂点Ｃ２と基部頂点１２及び角部縁辺Ｃ３，Ｃ３と基部縁辺１３，１３とを其々合わせ貼付けし（図２参照。）、該基部頂点１２を介して角折返部１５を折返し該角部内側面Ｃ４に貼付けし（図３参照。）、該基部縁辺１３，１３を介し縁辺折返部１４，１４を折返して該角部内側面Ｃ４に貼付し（図４参照。）取付する構成として実施することが望ましい。
【００２２】
しかし上記に限らず、補強保護片１０は、図６乃至図８に示すように、角折返部１５を設けずとも本発明による書物表紙等角部Ｃの補強保護片１０を、補強保護する角部外側面Ｃ１に貼付する該角部Ｃの形状に応じ概ね三角形とした一の補強保護片基部１１と、該基部１１の貼付けする角部頂点Ｃ２と対応する基部頂点１２、及び該基部頂点１２を挟む二の基部縁辺１３，１３其々を介し、該基部１１と連成した二の縁辺折返部１４，１４とよりなり（図６参照。）、角部外側面Ｃ１に基部１１を角部頂点Ｃ２と基部頂点１２及び角部縁辺Ｃ３，Ｃ３と基部縁辺１３，１３とを其々合わせ貼付けし（図７参照。）、該基部縁辺１３，１３を介し縁辺折返部１４，１４を折返して角部内側面Ｃ４に貼付する（図８参照。）粘着層Ａを片面に有す構成としても実施することは可能である。
【００２３】
補強保護片１０の基部１１は、角部外側面Ｃ１に基部１１を角部頂点Ｃ２と基部頂点１２及び角部縁辺Ｃ３，Ｃ３と基部縁辺１３，１３とが其々合わさればよく、基部縁辺１３，１３以外の他の縁辺１９は、図１及び図６に示すように直線としても良いが、図９に示すように円弧としたり、図１０に示すような曲線としたり、図１１に示すように書物の識別記号等の基部書込欄２０とすることもできる。
【００２４】
補強保護片１０の角折返部１５は、図１２に示すように、基部頂点１２を介して折返し角部内側面Ｃ４に貼付けする際に、該角部内側面Ｃ４をその一方の角部縁辺Ｃ３より他方の角部縁辺Ｃ３にかけ広く覆い、補強保護の効果を高めるため、角部Ｃの形状に合わせてあることが好ましい。
【００２５】
補強保護片１０の縁辺折返部１４は、図１乃至図８に示すように、二の縁辺折返部１４，１４の其々が接する基部縁辺１３，１３と直交方向の幅寸法１６を、一定かつ同じくした構成とし、あるいは基部１１を基部頂点１２が直角の二等辺三角形とし、二の縁辺折返部１４，１４の其々が接する基部縁辺１３，１３と直交方向の幅寸法１６を、該基部頂点１２を挟む二の基部縁辺１３，１３の長さ寸法の半分以下とした構成としてあることが望ましい。
【００２６】
また、縁辺折返部１４は、図１等に示すように、二の縁辺折返部１４，１４の基部頂点側でない折返部端部２１が、其々の基部縁辺１３，１３となす角を９０度以下とした構成としてあることが好ましい。
【００２７】
しかしこれは上記に限らず、図１３に示すように一定の幅寸法１６としなくても、図１４に示すように波型意匠１７等のデザインを施してもよく、また、図１５に示すように、縁辺折返部１４の少なくとも一方の幅寸法１６を大として、該縁辺折返部１４に書物の識別記号等の折返部書込欄１８とすることもできる。
【００２８】
補強保護片１０の材質としては、粘着層Ａ以外は８０g/m2乃至１００g/m2の紙材よりなる構成としてあり、片面に水可溶性、アルカリ可溶性、又は水再分散性のアクリル系粘着剤より成る粘着層Ａを有す構成としてあることが望ましい。
【００２９】
以上これら実施の形態は、書物表紙の角部外側面Ｃ１に基部１１を貼付けし取付することとしてあるが、書物表紙に限らず、ファイルやバインダーの表紙、或は紙葉であっても、厚さや材質を問わず、補強及び保護を要する角部に取付でき、この取付は角部内側面Ｃ４に基部１１を貼付けし取付することとしてもよい。
【産業上の利用可能性】
【００３０】
上述による本発明による書物表紙等角部の補強保護片は、通常は複数必要となる為、剥離紙に所要複数の補強保護片を貼付けした状態で販売等されるものであるため、書物表紙等角部の補強保護金具と比べ、厚みがなく軽量であり、また生産や輸送及び保管にかかるコストも低くなる為、その用途とこれらの特性とより、ノートやファイル等の付属品としたり、図案や広告を書込欄に印刷等し、書籍等と共に配布する所謂ノベルティグッズとしての活用が見込まれる。
【図面の簡単な説明】
【００３１】
【図１】角折返部を有す補強保護片の平面図。
【図２】角折返部を有す補強保護片の取付手順の参考図。
【図３】角折返部を有す補強保護片の取付途中の参考図。
【図４】角折返部を有す補強保護片の内側よりの取付図。
【図５】角折返部を有す補強保護片の外側よりの取付図。
【図６】角折返部の無い補強保護片の平面図。
【図７】角折返部の無い補強保護片の取付手順の参考図。
【図８】角折返部の無い補強保護片の内側よりの取付図。
【図９】他の縁辺を円弧とした補強保護片の取付図。
【図１０】他の縁辺を曲線とした補強保護片の取付図。
【図１１】基部に書込欄を設けた補強保護片の取付図。
【図１２】角折返部を広くした補強保護片の平面図。
【図１３】縁辺折返部を一定幅としない補強保護片の取付図。
【図１４】縁辺折返部に波型意匠を設けた補強保護片の取付図。
【図１５】縁辺折返部に書込欄を設けた補強保護片の平面図。
【図１６】縁辺折返部に書込欄を設けた補強保護片の取付図。
【符号の説明】
【００３２】
Ａ    粘着層
Ｃ    書物表紙等角部
Ｃ１  角部外側面
Ｃ２  角部頂点
Ｃ３  角部縁辺
Ｃ４  角部内側面
１０  補強保護片
１１  補強保護片基部
１２  基部頂点
１３  基部縁辺
１４  縁辺折返部
１５  角折返部
１６  幅寸法
１７  波型意匠
１８  折返部書込欄
１９  他の縁辺
２０  基部書込欄
２１  折返部端部
【図１】
2005103764.tif 000003
【図２】
2005103764.tif 000004
【図３】
2005103764.tif 000005
【図４】
2005103764.tif 000006
【図５】
2005103764.tif 000007
【図６】
2005103764.tif 000008
【図７】
2005103764.tif 000009
【図８】
2005103764.tif 000010
【図９】
2005103764.tif 000011
【図１０】
2005103764.tif 000012
【図１１】
2005103764.tif 000013
【図１２】
2005103764.tif 000014
【図１３】
2005103764.tif 000015
【図１４】
2005103764.tif 000016
【図１５】
2005103764.tif 000017
【図１６】
2005103764.tif 000018